(57)【要約】【課題】光ディスクの一様な記録層内形成する記録マークの位置精度を高め得るようにする。【解決手段】光集光された光である光ビームＬＢが照射される螺旋状のトラックＴＲに沿って、サーボ情報領域Ａｓ及び記録領域Ａｗが交互に形成されている。サーボ情報領域Ａｓは、光ビームＬＢが照射されるべき照射位置である照射ラインＴＬ近傍に立体的なサーボ情報マークとしてのサーボ情報マーク群ＫＳｐが予め形成されている。また記録領域Ａｗは、所定以上の光強度でなる光ビームＬＢが照射されることに応じて当該光ビームＬＢの焦点ＦＢ近傍に立体的な記録マークＲＭを形成し、光ビームＬＢが照射されることに応じた戻り光である反射光ビームＬＢＲを基に当該情報を再生させる。【選択図】図９
2009259320.tif 000002
【特許請求の範囲】
【請求項１】
集光された光が照射される同心円又は螺旋状のトラックに沿って、上記光が照射されるべき照射位置近傍に立体的なサーボ情報マークが予め形成されているサーボ情報領域と、所定以上の光強度でなる光が照射されることに応じて当該光の焦点近傍に立体的な記録マークを形成し上記光が照射されることに応じた戻り光を基に当該情報を再生させる記録領域とが交互に形成されてなる記録層
を有する光ディスク。
【請求項２】
上記サーボ情報マークは、
上記光ディスクの半径方向であるトラッキング方向又は上記光ディスクの厚さ方向であるフォーカス方向のうち少なくとも一方向に対する上記光の位置を調整させる
請求項１に記載の光ディスク。
【請求項３】
上記サーボ情報領域には、
上記記録層における上記サーボ情報領域の位置を表すアドレス情報マークが形成されている
請求項１に記載の光ディスク。
【請求項４】
上記サーボ情報領域は、
隣接する上記トラックにおける互いに隣接した位置に設けられている
請求項１に記載の光ディスク。
【請求項５】
上記サーボ情報領域は、
上記トラックにおいて所定間隔で設けられている
請求項１に記載の光ディスク。
【請求項６】
上記記録層は、
上記フォーカス方向に複数層のマーク層が形成されており、
上記サーボ情報領域及び上記記録領域は、
上記マーク層ごとの上記トラックにそれぞれ設けられている
請求項１に記載の光ディスク。
【請求項７】
上記記録領域は、
気泡でなる上記記録マークを形成する
請求項１に記載の光ディスク。
【請求項８】
上記サーボ情報マークは、
上記光ディスクの半径方向であるトラッキング方向に対する上記光の位置を調整させる３つのトラッキング用マークであり、
上記３つのトラッキング用マークは、
中央に位置する上記トラッキング用マークを中心に、先頭及び後尾のトラッキング用マークが上記トラッキング方向に互いに逆方向にずれた状態で配置されている
請求項１に記載の光ディスク。
【請求項９】
同心円又は螺旋状のトラックに沿って、上記光が照射されるべき照射位置近傍に立体的なサーボ情報マークが予め形成されているサーボ情報領域と、光源から出射された光が照射されることに応じて当該光の焦点近傍に立体的な記録マークを形成する記録領域とが交互に形成されてなる記録層を有する光ディスクを回転させる回転部と、
上記光を集光し上記記録層に対して照射する対物レンズと、
上記サーボ情報領域からの戻り光を基に上記光を上記照射位置に合焦させるよう上記対物レンズの位置を変位させ、当該対物レンズの位置を当該変位された位置に固定した状態で上記記録領域に上記光を照射させる駆動部と
を有する光情報記録装置。
【請求項１０】
上記記録領域に対して上記記録マークを形成するのに必要な所定の光強度以上でなる上記光を照射する一方、上記サーボ情報領域に対して上記所定の強度未満となる上記光を照射するよう上記光源を制御する光源制御部
を有する請求項９に記載の光情報記録装置。
【請求項１１】
上記光が上記サーボ情報領域に照射されるタイミングを予測するタイミング予測部
を有し、
上記光源制御部は、
上記タイミングに応じて上記光を上記所定の強度未満に切り換える
請求項１０に記載の光情報記録装置。
【請求項１２】
上記タイミング予測部は、
上記サーボ情報マークからの戻り光に基づいてサーボ情報領域を検出すると共に、当該検出されたサーボ情報マークに基づいて上記光が次の上記サーボ情報領域に照射されるタイミングを予測する
請求項１１に記載の光情報記録装置。
【請求項１３】
上記タイミング予測部は、
上記記録層における所定の領域に記録された情報に基づいて上記光が次の上記サーボ情報領域に照射されるタイミングを予測する
請求項１１に記載の光情報記録装置。
【請求項１４】
同心円又は螺旋状のトラックに沿って、上記光が照射されるべき照射位置近傍に立体的なサーボ情報マークが予め形成されているサーボ情報領域と、光源から出射された光が照射されることに応じて当該光の焦点近傍に立体的な記録マークを形成する記録領域とが交互に形成されてなる記録層を有する光ディスクを回転させ、上記光を集光し上記光ディスクの記録層に対して照射する際、
上記サーボ情報領域からの戻り光を基に上記光を上記照射位置に合焦させるよう上記対物レンズの位置を変位させるレンズ位置変位ステップと、
上記対物レンズの位置を上記レンズ位置変位ステップにおいて変位された位置に固定した状態で上記記録領域に上記光を照射させる記録ステップと
を有する光情報記録方法。
【請求項１５】
同心円又は螺旋状のトラックに沿って、上記光が照射されるべき照射位置近傍に立体的なサーボ情報マークが予め形成されているサーボ情報領域と、光源から出射された光が照射されることに応じて当該光の焦点近傍に立体的な記録マークを形成する記録領域とが交互に形成されてなる記録層を有する光ディスクを回転させる回転部と、
上記光を上記記録層に対して照射する光照射部と、
上記記録層からの戻り光を基に生成された再生信号に基づいて上記サーボ情報マークに対応する情報を削除してなる再生情報を生成する再生情報生成部と
を有する光情報再生装置。
【請求項１６】
上記再生信号において上記サーボ情報マークに対応する情報が出現するタイミングを予測するタイミング予測部
を有し、
上記再生情報生成部は、
上記タイミングに応じて、上記再生信号から上記サーボ情報マークに対応する情報を削除する
請求項１５に記載の光情報再生装置。
【請求項１７】
上記再生信号から上記サーボ情報マークに対応する情報を検出するサーボ情報検出部
を有し、
上記再生情報生成部は、
上記検出されたサーボ情報マークに対応する情報を削除する
請求項１５に記載の光情報再生装置。
【請求項１８】
同心円又は螺旋状のトラックに沿って、上記光が照射されるべき照射位置近傍に立体的なサーボ情報マークが予め形成されているサーボ情報領域と、光源から出射された光が照射されることに応じて当該光の焦点近傍に立体的な記録マークを形成する記録領域とが交互に形成されてなる記録層を有する光ディスクを回転させ、上記光を上記記録層に対して照射する際、
上記記録層からの戻り光を基に再生信号を生成する再生信号生成ステップと、
上記再生信号に基づいて上記サーボ情報マークに対応する情報を削除してなる再生情報を生成する再生情報生成ステップと
を有する光情報再生方法。
【発明の詳細な説明】
【技術分野】
【０００１】
本発明は光ディスク、光情報記録装置及び光情報記録方法、並びに光情報再生装置及び光情報再生方法に関し、例えば１層の記録層に対して厚み方向に複数の記録マークを記録する光ディスク装置に適用して好適なものである。
【背景技術】
【０００２】
従来、光ディスク装置においては、ＣＤ（Compact Disc）、ＤＶＤ（Digital Versatile Disc）及びＢｌｕ−ｒａｙ  Ｄｉｓｃ（登録商標、以下ＢＤと呼ぶ）等、光ディスクに対して光ビームを照射し、その反射光を読み取ることにより情報を再生するようになされたものが広く普及している。
【０００３】
またかかる従来の光ディスク装置では、当該光ディスクに対して光ビームを照射し、当該光ディスクの局所的な反射率等を変化させることにより、情報の記録を行うようになされている。
【０００４】
この光ディスクに関しては、当該光ディスク上に形成される光スポットの大きさは、およそλ／ＮＡ（λ：光ビームの波長、ＮＡ:開口数）で与えられ、解像度もこの値に比例することが知られている。例えば、ＢＤ方式では、直径１２０［ｍｍ］の光ディスクにおよそ２５［ＧＢ］のデータを記録することができる。
【０００５】
ところで光ディスクには、音楽コンテンツや映像コンテンツ等の各種コンテンツ、或いはコンピュータ用の各種データ等のような種々の情報が記録されるようになされている。特に近年では、映像の高精細化や音楽の高音質化等により情報量が増大し、また１枚の光ディスクに記録するコンテンツ数の増加が要求されているため、当該光ディスクのさらなる大容量化が要求されている。
【０００６】
ここで、１枚の光ディスクに複数の記録層を設けることを検討する。光ディスクは、図１（Ａ）に示すように、仮に従来のＤＶＤ方式及びＢＤ方式のように反射層や記録層等の種類の異なる材料を積層する構成とした場合、その製造工程が複雑化し製造コストの上昇等を招いてしまう。
【０００７】
そこで光ディスク装置のなかには、光ディスクの一様な記録層内に記録マークの層（以下、これをマーク層と呼ぶ）を複数積層しながら記録することにより大容量化を図ったものが提案されている（例えば、特許文献１参照）。
【０００８】
図１（Ｂ）に示すように、かかる構成の光ディスク装置に対応した光ディスク２００は、記録層２０１内が一様であり、当該記録層内には位置の目印となり得るものが存在しない。このため光ディスク２００には、トラック等が形成された基準層２０４が別途設けられている。
【０００９】
すなわち光ディスク装置は、基準層２０４の基準とするトラック（以下これをトラックＴＥと呼ぶ）に所定のサーボ光ビームＬＳを合焦させ、当該サーボ光ビームＬＳと一致した光軸ＸＬを有する情報光ビームＬＭを記録層２０１内の目標とする位置（以下これを目標位置ＰＧと呼ぶ）に合焦させるようになされている。
【特許文献１】特開２００８−０７１４３３公報
【発明の開示】
【発明が解決しようとする課題】
【００１０】
ところでかかる構成の光ディスク装置は、図２（Ａ）に示すように、基準層２０４の基準トラックと各マーク層のトラックを対応づけて管理し、情報の記録及び再生を行うことになる。このため光ディスク２００は、記録層２０１内において、ある基準トラックに対応する各マーク層のトラックにより、図２（Ｂ）に示すような仮想的な円筒ＣＹＬを形成することになる。
【００１１】
このとき光ディスク装置は、光ディスク２００が理想的な状態であれば、円筒ＣＹＬの中心軸ＸＣを光軸ＸＬに対し平行とする。
【００１２】
しかしながら光ディスク装置では、光ディスク２００が理想的な状態から傾いて装着され、或いは光ディスク２００自体に反りを生じる可能性がある。このとき円筒ＣＹＬの中心軸ＸＣは、図３（Ａ）に示すように、光軸ＸＬに対し平行ではなくなってしまう。
【００１３】
実際上、光ディスク装置は、その個体差等により、光ディスク２００の装着時に個別の傾きを持たせてしまう可能性があり、また光ディスク２００のチャッキング機構等に起因し、チャッキングの度に傾きが微妙に相違する可能性がある。さらに光ディスク２００は、経時変化により、徐々に反り具合が変化する可能性もある。
【００１４】
このため光ディスク装置は、例えば１回目の記録がなされた光ディスク２００に対し、記録済みのトラックに続けて新たなトラックを形成しながら２回目の記録を行うような場合に、１回目の記録時と２回目の記録時とで光軸ＸＬに対する円筒ＣＹＬの中心軸ＸＣの傾きが変化することが考えられる。
【００１５】
また光ディスク装置では、サーボ光ビームＬＳ及び情報光ビームＬＭの光軸が互いにずれてしまう場合や、光ディスク２００の中心ＸＤと光ディスク装置側のスピンドルモータ等の回転中心ＸＴとがずれてしまう可能性もある。このとき円筒ＣＹＬの中心軸ＸＣは、図３（Ｂ）に示すように平行移動することになってしまう。
【００１６】
さらに光ディスク２００は、記録層２０１の特性等により経時変化し、例えば図３（Ｃ）に示すように収縮する可能性がある。これにより、例えば円筒ＣＹＬの下底面から上底面までの距離が変化することになる。
【００１７】
この場合、光ディスク装置は、経時変化後に目標位置ＰＧに応じてサーボ光ビームＬＳの焦点ＦＳと情報光ビームＬＭの焦点ＦＭとの距離を単純に設定すると、焦点ＦＭを目標位置ＰＧと異なる他のマーク層に合わせてしまう。
【００１８】
これらの場合、光ディスク装置は、図４に示すように、記録済の領域ＡＲ１に上書きして新たな領域ＡＲ２を記録してしまう可能性がある。すなわち光ディスク装置は、光ディスク２００の反りや傾き等により、記録済のトラックに新たなトラックを上書きしてしまい、既存の情報を誤って消去してしまう恐れがあった。
【００１９】
本発明は以上の点を考慮してなされたもので、光ディスクの一様な記録層内に形成する記録マークの位置精度を高め得る光ディスク、光情報記録装置及び光情報記録方法、並びに光情報再生装置及び光情報再生方法を提案しようとするものである。
【課題を解決するための手段】
【００２０】
かかる課題を解決するため本発明の光ディスクにおいては、集光された光が照射される同心円又は螺旋状のトラックに沿って、光が照射されるべき照射位置近傍に立体的なサーボ情報マークが予め形成されているサーボ情報領域と、所定以上の光強度でなる光が照射されることに応じて当該光の焦点近傍に立体的な記録マークを形成し光が照射されることに応じた戻り光を基に当該情報を再生させる記録領域とが交互に形成されてなる記録層を設けるようにした。
【００２１】
これにより光ディスクでは、サーボ情報領域における照射位置に光ビームを合焦させ、後は光ビームの焦点位置を固定させればトラックにおける記録領域に光ビームを合焦させることができる。
【００２２】
また本発明の光情報記録装置においては同心円又は螺旋状のトラックに沿って、光が照射されるべき照射位置近傍に立体的なサーボ情報マークが予め形成されているサーボ情報領域と、光源から出射された光が照射されることに応じて当該光の焦点近傍に立体的な記録マークを形成する記録領域とが交互に形成されてなる記録層を有する光ディスクを回転させる回転部と、光を集光し記録層に対して照射する対物レンズと、サーボ情報領域からの戻り光を基に光を照射位置に合焦させるよう対物レンズの位置を変位させ、当該対物レンズの位置を当該変位された位置に固定した状態で記録領域に光を照射させる駆動部とを設けるようにした。
【００２３】
これにより本発明の光情報記録装置では、サーボ情報領域における照射位置に光ビームを合焦させることにより、光ディスクの回転に応じてトラックにおける記録領域に光ビームを合焦させることができる。
【００２４】
さらに本発明の光情報記録方法においては、同心円又は螺旋状のトラックに沿って、光が照射されるべき照射位置近傍に立体的なサーボ情報マークが予め形成されているサーボ情報領域と、光源から出射された光が照射されることに応じて当該光の焦点近傍に立体的な記録マークを形成する記録領域とが交互に形成されてなる記録層を有する光ディスクを回転させ、光を集光し光ディスクの記録層に対して照射する際、サーボ情報領域からの戻り光を基に光を照射位置に合焦させるよう対物レンズの位置を変位させるレンズ位置変位ステップと、対物レンズの位置をレンズ位置変位ステップにおいて変位された位置に固定した状態で記録領域に光を照射させる記録ステップとを設けるようにした。
【００２５】
これにより本発明の光情報記録方法では、サーボ情報領域における照射位置に光ビームを合焦させることにより、光ディスクの回転に応じてトラックにおける記録領域に光ビームを合焦させることができる。
【００２６】
また本発明の光情報再生装置においては同心円又は螺旋状のトラックに沿って、光が照射されるべき照射位置近傍に立体的なサーボ情報マークが予め形成されているサーボ情報領域と、光源から出射された光が照射されることに応じて当該光の焦点近傍に立体的な記録マークを形成する記録領域とが交互に形成されてなる記録層を有する光ディスクを回転させる回転部と、光を記録層に対して照射する光照射部と、記録層からの戻り光を基に生成された再生信号に基づいてサーボ情報マークに対応する情報を削除してなる再生情報を生成する再生情報生成部とを設けるようにした。
【００２７】
これにより本発明の光情報再生装置では、サーボ情報マークに対応する情報が含まれない再生情報を生成することができる。
【００２８】
さらに本発明の光情報再生方法においては、同心円又は螺旋状のトラックに沿って、光が照射されるべき照射位置近傍に立体的なサーボ情報マークが予め形成されているサーボ情報領域と、光源から出射された光が照射されることに応じて当該光の焦点近傍に立体的な記録マークを形成する記録領域とが交互に形成されてなる記録層を有する光ディスクを回転させ、光を記録層に対して照射する際、記録層からの戻り光を基に再生信号を生成する再生信号生成ステップと、再生信号に基づいてサーボ情報マークに対応する情報を削除してなる再生情報を生成する再生情報生成ステップとを設けるようにした。
【００２９】
これにより本発明の光情報再生方法では、サーボ情報マークに対応する情報が含まれない再生情報を生成することができる。
【発明の効果】
【００３０】
本発明によれば、サーボ情報領域における照射位置に光ビームを合焦させ、後は光ビームの焦点位置を固定させればトラックにおける記録領域に光ビームを合焦させることができ、かくして光ディスクの一様な記録層内に形成する記録マークの位置精度を高め得る光ディスク、光情報記録装置及び光情報記録方法を実現できる。
【００３１】
また本発明によれば、サーボ情報マークに対応する情報が含まれない再生情報を生成することができ、かくして記録された情報を適切に再生し得る光情報再生装置及び光情報再生方法を実現できる。
【発明を実施するための最良の形態】
【００３２】
以下、図面について、本発明の一実施の形態を詳述する。
【００３３】
（１）光ディスクの構成
まず、本発明において光情報記録媒体として用いられる光ディスク１００について説明する。図５に外観図を示すように、光ディスク１００は、全体として従来のＣＤ、ＤＶＤ及びＢＤと同様に直径約１２０［ｍｍ］の円盤状に構成されており、中央部分に孔部１００Ｈが形成されている。
【００３４】
また光ディスク１００は、図６に断面図を示すように、情報を記録するための記録層１０１を中心に有しており、基板１０２及び１０３により当該記録層１０１を両面から挟むように構成されている。
【００３５】
因みに記録層１０１の厚さｔ１は約０．３［ｍｍ］、基板１０２及び１０３の厚さｔ２及びｔ３はいずれも約０．６［ｍｍ］となるようになされている。
【００３６】
基板１０２及び１０３は、例えばポリカーボネイトやガラス等の材料により構成されており、いずれも一面から入射される光をその反対面へ高い透過率で透過させるようになされている。また基板１０２及び１０３は、ある程度の強度を有しており、記録層１０１を保護する役割も担うようになされている。なお基板１０２及び１０３の表面については、無反射コーティングにより不要な反射が防止されるようになされていても良い。
【００３７】
記録層１０１には、光ビームＬＢが照射されることが想定されている。記録層１０１は、光ビームが記録処理時に使用される光強度の大きい記録用光ビームＬＢｗである場合には、当該記録用光ビームＬＢｗが集光されて所定強度以上となった部分（すなわち焦点Ｆｂ周辺）に例えば気泡でなる記録マークＲＭを形成する。記録層１０１は、一旦形成された記録マークＲＭを消去することはできず、光ディスク１００を一回のみ書き込みが可能ないわゆる追記型ディスクとして作用させるようになされている。
【００３８】
さらに記録層１０１は、当該記録層１０１の厚さｔ１（＝０．３［ｍｍ］）が記録マークＲＭの高さＲＭｈよりも充分に大きくなるよう設計されている。このため光ディスク１００は、記録層１０１内における記録用光ビームＬＢｗの位置が光ディスク１００の厚さ方向に切り換えられながら記録マークＲＭが記録されることにより、図７（Ａ）及び（Ｂ）に示すように複数のマーク記録層Ｙを当該光ディスク１００の厚さ方向に重ねた多層記録を行い得るようになされている。
【００３９】
なお図７（Ａ）では、１ビットの情報を表す記録マークＲＭの有無に応じて情報が記録される場合について示しているが、複数種類の長さを有する記録マークＲＭが形成されるようにしても良い。
【００４０】
この場合、光ディスク１００の記録層１０１内において、光ビームＬＢの焦点ＦＢの第１面１００Ａからの距離（以下、これを深さと呼ぶ）が調整されることにより、記録マークＲＭの深さが変更されることになる。例えば光ディスク１００は、記録マークＲＭ同士の相互干渉等を考慮してマーク記録層同士の距離ｐ３が約１５［μｍ］に設定されれば、記録層１０１内に約２０層のマーク記録層Ｙを形成することができる。なお距離ｐ３については、約１５［μｍ］とする以外にも、記録マークＲＭ同士の相互干渉等を考慮した上で他の種々の値としても良い。なおマーク記録層Ｙは、仮想的な層を意味しており、各マーク記録層Ｙの境界が実際に存在するわけではない。
【００４１】
記録層１０１は、光ビームＬＢが再生処理時に使用される光強度の小さいマーク読出用光強度でなり、焦点ＦＢの位置に記録マークＲＭが記録されている場合には、当該記録マークＲＭの周囲との屈折率の相違により光ビームＬＢを反射させ、当該目標マーク位置に記録されている記録マークＲＭから、反射光ビームＬＢＲを発生するようになされている。
【００４２】
ところで記録層１０１は、一様に形成されており、光ビームＬＢを照射するときの基準となる信号記録層やグルーブ及びランドなどが形成されていない。そこで記録層１０１には、位置制御用のサーボ情報マーク群ＫＳｐが形成されている。このサーボ情報マーク群ＫＳｐは、例えば記録マークＲＭと同様の気泡でなる。
【００４３】
記録層１０１は、マーク記録層Ｙにおいて螺旋状に記録マークＲＭが形成されることにより、螺旋状のトラックＴＲを形成するようになされている。なおこのトラックＴＲは、仮想的なトラックを意味しており、各トラックＴＲの境界が実際に存在するわけではない。
【００４４】
図８（Ｂ）に示すようにサーボ情報マーク群ＫＳｐは、互いに隣接する記録マークＲＭが形成されるべきトラックＴＲのほぼ同一位置に連なるように形成されることにより、光ディスク１００の中心から外周方向へ放射状に伸びるサーボ情報ラインＫＬを形成している。
【００４５】
サーボ情報ラインＫＬは、図８（Ａ）に示すように、互いにほぼ等角度だけ離隔して配置されることにより放射状に１４００本設けられている。またサーボ情報ラインＫＬは、図６に示したように各マーク記録層Ｙにおける同一位置に同数だけ設けられている。
【００４６】
すなわちサーボ情報マーク群ＫＳｐは、各マーク記録層Ｙにおける各トラックＴＲに、光ディスク１００の半径方向の位置に応じた間隔で点在することになる。サーボ情報マーク群ＫＳｐは、光ディスク１００の半径方向であるトラッキング方向におけるトラックＴＲの中心近傍、かつ当該光ディスク１００の厚さ方向であるフォーカス方向におけるトラックＴＲの中心（すなわちマーク記録層Ｙの中心）近傍に配置されている。
【００４７】
言い換えると、図９に示すように、光ビームＬＢが照射されるべき照射ラインＴＬに沿って、サーボ情報マーク群ＫＡｐが形成されたサーボ情報領域Ａｓと記録マークＲＭが形成される記録領域Ａｗとが交互に形成されている。そしてこの照射ラインＴＬを中心として、トラックＴＲが形成されている。
【００４８】
図８（Ｂ）に示すように、サーボ情報マーク群ＫＳｐは、１ビットの情報を表す３つのトラッキング用マークＫＴ（ＫＴａ〜ＫＴｃ）と、１つのフォーカス用マークＫＦとを一組として形成されている。
【００４９】
また図９（Ｂ）に示すように、トラッキング用マークＫＴ及びフォーカス用マークＫＦは、マーク幅ＷＭＫがトラックＴＲの全幅ＷＴＲの約１／２程度でなり、隣接トラック間での干渉を防止し得るようになされている。なお図８（Ｂ）では、走査方向に向かって光ビームＬＢが順次照射されるものとする。
【００５０】
トラッキング用マークＫＴのうち走査方向における先頭に位置する（すなわち最初に光ビームＬＢが照射される）トラッキング用マークＫＴａは、マーク中心線ＣＫＴａがトラック中心線ＣＴＲよりも約１／４トラックだけずれた位置に形成されている。またトラッキングマークＫＴのうち中央に位置するトラッキング用マークＫＴｂは、マーク中心線ＣＫＴｂがトラック中心線ＣＴＲと合致した状態で形成されている。
【００５１】
さらにトラッキングマークＫＴのうち後尾に位置するトラッキング用マークＫＴｃは、マーク中心線ＣＫＴｃがトラック中心線ＣＴＲよりも約１／４トラックだけマーク中心線ＣＫＴａと同量かつ逆方向にずれた位置に形成されている。
【００５２】
すなわちトラッキング用マークＫＴは、中央に位置するトラッキングマークＫＴｂを中心として先頭及び後尾のトラッキングマークＫＴａ及びＫＴｂが共に１／４トラックだけ互いに反対方向にずれた位置に形成されている。
【００５３】
そしてトラッキング用マークＫＴは、光ビームＬＢが照射されると、記録マークＲＭと同様に反射光ビームＬＢＲを生成する。ここでトラッキング用マークＫＴａ及びＫＴｃは、その位置がトラック中心線ＣＴＲからずれている。
【００５４】
このため図１０（Ａ）に示すように、光ビームＬＢによるスポットＱがトラック中心線ＣＴＲに位置する場合、トラッキング用マークＫＴａ及びＫＴｃによって反射される反射光ビームＬＢＲの光量はほぼ等しくなる。
【００５５】
一方図１０（Ｂ）及び（Ｃ）に示すように、トラッキング用マークＫＴａ及びＫＴｃによって反射される反射光ビームＬＢＲの光量が相違することになる。
【００５６】
このためトラッキング用マークＫＴでは、トラッキング用マークＫＴａ及びＫＴｃによる反射光ビームＬＢＲの光量差が等しくなるよう光ディスク１００の半径方向であるトラッキング方向における光ビームＬＢの焦点ＦＢの位置を決定させることにより、当該光ビームＬＢをトラック中心線ＣＴＲ付近に導くことができる。
【００５７】
またフォーカス用マークＫＦは、光ビームＬＢをトラッキング用マークＫＴの約８倍程度の長さを有しており、反射光ビームＬＢＲの光量を大きくし得るようになされている。
【００５８】
このフォーカス用マークＫＦは、反射光ビームＬＢＲに基づいて光ビームＬＢのフォーカス用マークＫＦに対するズレ量を表すフォーカスエラー信号ＳＦＥを生成させると共に、当該フォーカスエラー信号ＳＦＥがゼロになるよう光ビームＬＢの厚さ方向（すなわちフォーカス方向）における当該光ビームＬＢの焦点ＦＢの位置を決定させる。これによりフォーカス用マークＫＦは、光ビームＬＢをフォーカス用マークＫＦに合焦させることができる。
【００５９】
そして記録層１０１では、図１１に示すように、サーボ情報マーク群ＫＳｐによって決定された位置に光ビームＬＢを照射するように対物レンズ２１を変位させた後、当該対物レンズ２０のレンズ位置を固定させたまま次のサーボ情報マーク群ＫＳｐまで記録マークＲＭを形成させる。これにより記録層１０１では、当該記録層１０１の記録領域Ａｗに記録マークＲＭを形成させることができる。
【００６０】
なお記録層１０１は、当該記録層１０１に記録済みの情報を再生する際、当該記録層１０１に既に記録済みの記録マークＲＭによってサーボ制御を実行させるようになされている。
【００６１】
このように光ディスク１００は、情報が記録される場合、サーボ情報マーク群ＫＳｐによって反射されてなる反射光ビームＬＢＲに基づいて対物レンズ２１のレンズ位置を決定させると共に、対物レンズ２１を当該レンズ位置に固定した状態で記録マークＲＭを形成させる。これにより光ディスク１００は、光ディスク１００内に形成されたサーボ情報マーク群ＫＳｐによって位置制御を行い得るため、光ディスク１００の傾きや歪みなどに関係なくトラックＴＲに正確に記録マークＲＭを形成することができる。
【００６２】
（２）光ディスク装置の構成
次に、上述した光ディスク１００に対して情報を記録及び再生する光ディスク装置１０の具体的な構成について説明する。
【００６３】
システムコントローラ１１は、図示しないＣＰＵ（Central Processing Unit）を中心に構成されており、図示しないＲＯＭ（Read Only Memory）から基本プログラムや情報記録プログラム等の各種プログラムを読み出し、これらを図示しないＲＡＭ（Random Access Memory）に展開することにより、情報記録処理及び情報再生処理等の各種処理を実行するようになされている。
【００６４】
例えばシステムコントローラ１１は、光ディスク１００が装填された状態で、図示しない外部機器等から情報記録命令、記録情報及び記録アドレス情報を受け付けると、記録アドレス情報及び駆動命令を駆動制御部１２へ供給すると共に、記録情報を信号処理部１３へ供給する。因みに記録アドレス情報は、光ディスク１００の記録層１０１に付されたアドレスのうち、記録情報を記録すべきアドレスを示す情報である。
【００６５】
駆動制御部１２は、駆動命令に従い、スピンドルモータ１５を駆動制御することにより光ディスク１００を所定の回転速度で回転させると共に、スレッドモータ１６を駆動制御することにより、光ピックアップ２０を移動軸Ｇ１及びＧ２に沿って光ディスク１００の径方向（すなわち内周方向又は外周方向）における記録アドレス情報に対応した位置へ移動させる。
【００６６】
信号処理部１３は、供給された記録情報に対して所定の符号化処理や変調処理等の各種信号処理を施すことにより記録情報に基づいて記録信号ＷＲｋを生成し、これをレーザ制御部１８へ供給する。
【００６７】
レーザ制御部１８は、記録信号ＷＲｋに基づいてレーザ駆動電流ＷＲｌを生成することにより、レーザダイオード３１（図１３）から光ビームＬＢを出射させる。
【００６８】
光ピックアップ２０は、駆動制御部１２の制御に基づいてフォーカス制御及びトラッキング制御を行うことにより、光ディスク１００の記録層１０１における記録アドレス情報により示されるトラックＴＲ（以下、これを目標トラックＴＲＧと呼ぶ）に光ビームＬＢを照射する。この結果光ピックアップ２０は、記録アドレス情報により示される位置（以下、これを目標マーク位置と呼ぶ）に光ビームＬＢを順次照射することができる。
【００６９】
このとき光ピックアップ２０は、信号処理部１３からの記録信号ＷＲｋに応じた光量で光ビームＬＢを照射することにより記録マークＲＭを記録するようになされている（詳しくは後述する）。
【００７０】
またシステムコントローラ１１は、例えば外部機器（図示せず）から情報再生命令及び当該記録情報のアドレスを示す再生アドレス情報を受け付けると、駆動制御部１２に対して駆動命令を供給すると共に、再生処理命令を信号処理部１３へ供給する。
【００７１】
駆動制御部１２は、情報を記録する場合と同様、スピンドルモータ１５を駆動制御することにより光ディスク１００を所定の回転速度で回転させると共に、スレッドモータ１６を駆動制御することにより光ピックアップ２０を再生アドレス情報に対応した位置へ移動させる。
【００７２】
そしてシステムコントローラ１１は、レーザ制御部１８を制御することにより、レーザダイオード３１から情報の読出に応じた所定の読出用出射強度でなる光ビームＬＢを照射させる。
【００７３】
このとき光ピックアップ２０は、光ディスク１００における記録層１０１によって反射されてなる反射光ビームＬＢＲを検出し、その光量に応じた検出信号を信号処理部１３へ供給する（詳しくは後述する）。さらに光ピックアップ２０は、駆動制御部１２（図１２）の制御に基づいてフォーカス制御及びトラッキング制御を行うことにより、光ディスク１００の記録層１０１における再生アドレス情報により示されるトラックＴＲ（すなわち目標マーク位置）に光ビームＬＢの焦点ＦＢを合わせる。
【００７４】
信号処理部１３は、供給された検出信号に対して所定の復調処理や復号化処理等の各種信号処理を施すことにより再生情報を生成し、この再生情報をシステムコントローラ１１へ供給する。これに応じてシステムコントローラ１１は、この再生情報を外部機器（図示せず）へ送出するようになされている。
【００７５】
このように光ディスク装置２０は、システムコントローラ１１によって光ピックアップ２０を制御することにより、光ディスク１００のマーク記録層Ｙにおける目標マーク位置に情報を記録し、また当該目標マーク位置から情報を再生するようになされている。
【００７６】
（３）光ピックアップの構成
次に、光ピックアップ２０の構成について説明する。この光ピックアップ２０は、図１３に示すように、多数の光学部品の組み合わせにより構成されている。
【００７７】
具体的にレーザダイオード３１は、波長約４０５[ｎｍ]の青色レーザ光でなる光ビームＬＢを出射し、コリメータレンズ３２へ入射させる。実際上レーザダイオード３１は、システムコントローラ１１（図１２）の制御に基づき情報の記録又は読出に応じた所定の光量の光ビームＬＢを出射する。コリメータレンズ３２は、光ビームＬＢを発散光から平行光に変換し、１／２波長板３３へ入射させる。
【００７８】
光ビームＬＢは、１／２波長板３３によって偏光方向が所定角度回転されることにより例えばＰ偏光に調整され、偏光ビームスプリッタ３５へ入射される。
【００７９】
偏光ビームスプリッタ３５は、入射される光ビームの偏光方向により異なる割合で当該光ビームを反射又は透過する反射透過面３５Ｓを有している。例えば反射透過面３５Ｓは、Ｐ偏光の光ビームをほぼ全て透過し、Ｓ偏光の光ビームをほぼ全て反射するようになされている。
【００８０】
実際上偏光ビームスプリッタ３５は、光ビームＬＢを透過して液晶パネル３６へ入射させる。
【００８１】
液晶パネル３６は、光ビームＬＢの球面収差等を補正し、それぞれ１／４波長板３７へ入射させる。１／４波長板３７は、光ビームＬＢをそれぞれＰ偏光から円偏光に変換してリレーレンズ３８へ入射させる。
【００８２】
リレーレンズ３８は、可動レンズ３９により光ビームＬＢをそれぞれ平行光から収束光に変換し、収束後に発散光となった光ビームＬＢをそれぞれ固定レンズ４０により再度収束光に変換し、ミラー４１へ入射させる。
【００８３】
ここで可動レンズ３９は、図示しないアクチュエータにより光ビームＬＢの光軸方向に移動されるようになされている。実際上、リレーレンズ３８は、システムコントローラ１１（図１２）の制御に基づき当該アクチュエータによって可動レンズ３９を移動させることにより、固定レンズ４０から出射される光ビームＬＢの収束状態をそれぞれ変化させ得るようになされている。
【００８４】
ミラー４１は、光ビームＬＢを反射することにより、その進行方向を９０°偏向させ、当該光ビームＬＢを対物レンズ２１へ入射させる。
【００８５】
対物レンズ２１は、光ビームＬＢを集光し、光ディスク１００に照射する。ここで対物レンズ２１から光ビームＬＢの焦点ＦＢまでのフォーカス方向に関する距離は、当該光ビームＬＢがリレーレンズ３８から出射されるときの発散角に応じて定まることになる。
【００８６】
実際上、リレーレンズ３８は、システムコントローラ１１の制御に基づき可動レンズ３９を移動させることにより、焦点ＦＢを記録層内における目標マーク記録層ＹＧにおおよそ合わせるようになされている。
【００８７】
対物レンズ２１は、光ビームＬＢを集光し、光ディスク１００の記録層１０１における目標マーク位置に照射する。
【００８８】
ここで記録層１０１は、光ビームＬＢがレーザダイオード３１から情報の記録に応じた大きい光強度でなるマーク形成用光強度で出射されていた場合、目標マーク位置近傍に気泡でなる記録マークＲＭを形成することになる。
【００８９】
一方記録層１０１は、目標マーク位置近傍にサーボ情報マーク群ＫＳｐ又は記録マークＲＭが形成されている場合には、当該サーボ情報マーク群ＫＳｐ又は記録マークＲＭによって光ビームＬＢを反射し、反射光ビームＬＢＲを生成することになる。
【００９０】
反射光ビームＬＢＲは、元の光ビームＬＢの光路を反対方向へ進行する。すなわち反射光ビームＬＢＲは、対物レンズ２１により発散角が変換され、ミラー４１により反射され、リレーレンズ３８により平行光に変換され、１／４波長板３７及び液晶パネル３６を順次透過し、Ｓ偏光の直線偏光として偏光ビームスプリッタ３５へ入射される。
【００９１】
偏光ビームスプリッタ３５は、Ｓ偏光でなる反射光ビームＬＢＲを反射透過面３５Ｓによって反射し、集光レンズ４３へ入射させる。集光レンズ４３は、反射光ビームＬＢＲを集光し、ピンホール板４４を介してフォトディテクタ４５へ照射させる。
【００９２】
ここで図１４に示すように、ピンホール板４４は、集光レンズ４３（図１３）により集光される反射光ビームＬＢＲの焦点を孔部４４内に位置させるよう配置されているため、当該反射光ビームＬＢＲをそのまま通過させることになる。
【００９３】
一方、ピンホール板４４は、例えば光ディスク１００における基板１０２の表面や、目標マーク位置とは異なるマーク記録層Ｙに存在する記録マークＲＭなどから反射されるような焦点の異なる光（以下、これを迷光ＬＮと呼ぶ）をほぼ遮断することになる。
【００９４】
フォトディテクタ４５は、図１５に示すように、反射光ビームＬＢＲを受光するための検出領域４５ＳＡ、４５ＳＢ、４５ＳＣ及び４５ＳＤ（以下、これらをまとめて検出領域４５ＳＡ〜４５ＳＤとする）が設けられている。
【００９５】
検出領域４５ＳＡ〜４５ＳＤは、光ビームＬＢが目標マーク記録層ＹＧに照射されるときにおけるトラックの走行方向と対応する矢印ａ１方向及びその直交方向に沿って、それぞれ２分割（合計４分割）されたような形状となっている。
【００９６】
フォトディテクタ４５は、検出領域４５ＳＡ〜４５ＳＤにより参照反射光ビームＬＥＲの一部をそれぞれ検出し、このとき検出した光量に応じて検出信号Ｕ１Ａ、Ｕ１Ｂ、Ｕ１Ｃ及びＵ１Ｄをそれぞれ生成して、これらを信号処理部１３（図１２）へ送出する。
【００９７】
信号処理部１３は、いわゆる非点収差法に基づいてフォーカス制御を行うようになされており、次に示す（１）式に従ってフォーカスエラー信号ＳＦＥを算出し、これを駆動制御部１２へ供給する。
【００９８】
【数１】
2009259320.tif 000003
【００９９】
このフォーカスエラー信号ＳＦＥは、光ビームＬＥの焦点ＦＥと参照トラックＴＥ（すなわち目標マーク記録層ＹＧ）とのフォーカス方向に関するずれ量を表すことになる。
【０１００】
また信号処理部１３は、次に示す（２）式に従ってプッシュプル法によるトラッキングエラー信号ＳＴＥを算出し、これを駆動制御部１２へ供給する。
【０１０１】
【数２】
2009259320.tif 000004
【０１０２】
このトラッキングエラー信号ＳＴＥは、光ビームＬＢの焦点ＦＢと目標トラックＴＲＧとのトラッキング方向に関するずれ量を表すことになる。
【０１０３】
さらに信号処理部１３は、次に示す（３）式に従い再生信号ＳＲＦを生成する。
【０１０４】
【数３】
2009259320.tif 000005
【０１０５】
駆動制御部１２は、フォーカスエラー信号ＳＦＥを基にフォーカス駆動信号ＳＦＤ１を生成し、当該フォーカス駆動信号ＳＦＤ１を２軸アクチュエータ２２へ供給することにより、光ビームＬＢが目標マーク位置、すなわち目標マーク記録層ＹＧに合焦するよう、対物レンズ２１のフォーカス制御を行う。
【０１０６】
また駆動制御部１２は、トラッキングエラー信号ＳＴＥ又は再生信号ＳＲＦを基にトラッキング駆動信号ＳＴＤ１を生成し、当該トラッキング駆動信号ＳＴＤ１を２軸アクチュエータ２２へ供給することにより、光ビームＬＢが目標マーク位置、すなわち目標トラックＴＲＧに合焦するよう、対物レンズ２２のトラッキング制御を行う。
【０１０７】
このように光ピックアップ２０は、反射光ビームＬＢＲに基づいた対物レンズ２１のフォーカス制御及びトラッキング制御を行うことにより、当該光ビームＬＢを目標マーク記録層ＹＧの目標トラックＴＲＧに合焦させるようになされている。
【０１０８】
（４）情報の記録
ところで情報記録処理時において、光ディスク１００の記録層１０１には、未だ記録マークＲＭが形成されていない。このため光ディスク装置１０は、当該記録マークＲＭによる反射光ビームＬＢＲを検出することができず、記録マークＲＭによる反射光ビームＬＢＲに基づいて対物レンズ２１のフォーカス制御及びトラッキング制御を行うことができない。
【０１０９】
そこで光ディスク装置１０は、予め記録層１０１に記録されているサーボ情報マーク群ＫＳｐによる反射光ビームＬＢＲを用いて対物レンズ２２のフォーカス制御及びトラッキング制御を行うようになされている。
【０１１０】
まず光ディスク装置１０のシステムコントローラ１１（図１２）は、情報記録処理を開始すると、記録層１０１からサーボ情報マーク群ＫＳｐを検出する。
【０１１１】
具体的にシステムコントローラ１１は、レーザ制御部１８を介してレーザダイオード３１を制御し、当該レーザダイオード３１（図１３）に比較的小さい光強度でなるマーク読出用光強度で光ビームＬＢを出射させる。
【０１１２】
この結果信号処理部１３は、フォトディテクタ４５（図１３）によって受光された反射光ビームＬＢＲに基づいてトラッキングエラー信号ＳＦＴ、フォーカスエラー信号ＳＦＥ及び再生信号ＳＲＦを生成し、これらをシステムコントローラ１１に供給する。
【０１１３】
また信号処理部１３は、再生信号ＳＲＦをＰＬＬ（Phase Locked Loop）回路１７へ供給する。ここで上述したように、記録層１０１において情報が未記録の領域には、トラックＴＲにサーボ情報マーク群ＫＳｐのみが点在している。このため記録層１０１は、当該未記録の領域においてサーボ情報マーク群ＫＳｐに応じて反射光ビームＬＢＲを生成することになる。
【０１１４】
一方システムコントローラ１１は、再生信号ＳＲＦを監視し、例えば当該再生信号ＳＲＦの値が所定の閾値を超えたことによりサーボ情報マーク群ＫＳｐを検出すると、対物レンズ２１のトラッキング制御及びフォーカス制御を実行する。
【０１１５】
実際上システムコントローラ１１は、レンズ位置を固定した状態で光ビームＬＢを照射し、再生信号ＳＲＦにおけるトラッキング用マークＫＴａ及びＫＴｃ（図１０）に対応する振幅を検出する。さらにシステムコントローラ１１は、当該振幅の差を算出し、当該振幅の差に所定の係数を乗算することにより、対物レンズ２１のトラッキング方向の移動量を表すＴＲ移動量信号を算出し、これを駆動制御部１２に供給する。駆動制御部１２は、図１６に示すように、ＴＲ移動量信号を基にトラッキング駆動信号ＳＴＤ１を生成し、２軸アクチュエータ２２に供給する。
【０１１６】
またシステムコントローラ１１は、フォーカスエラー信号ＳＦＥにおけるフォーカス用マークＫＦに応じて、例えば対物レンズ２１を微少に振動させるよう対物レンズ２１のフォーカス方向の移動量を表すＦＣ移動量信号を生成し、これを駆動制御部１２に供給する。駆動制御部１２は、ＦＣ移動量信号を基にトラッキング駆動信号ＳＦＤ１を生成し、２軸アクチュエータ２２に供給する。
【０１１７】
この結果光ピックアップ２０は、フォーカス用マークＫＴａに対して焦点ＦＢを微少にずらしながら光ビームＬＢを照射することになる。
【０１１８】
システムコントローラ１１は、フォーカス用マークＫＦに対応するフォーカスエラー信号ＳＦＥにおいてフォーカスエラー信号ＳＦＥがゼロになるときの対物レンズ２１のフォーカス方向の移動量を表すＦＣ移動量信号を算出し、これを駆動制御部１２に供給する。駆動制御部１２は、ＦＣ移動量信号を基にフォーカス駆動信号ＳＦＤ１を生成し、アクチュエータ２２に供給する。
【０１１９】
このアクチュエータ２２は、例えばコイルと磁石との組み合わせにより構成されており、対物レンズ２１をトラッキング駆動信号ＳＴＤ１及びフォーカス駆動信号ＳＦＤ１に応じたレンズ位置に変位させるようになされている。すなわちアクチュエータ２２は、一定の値でなるトラッキング駆動信号ＳＴＤ１及びフォーカス駆動信号ＳＦＤ１が供給された場合には、レンズ位置を固定することになる。
【０１２０】
そして駆動制御部１２は、次のサーボ情報マーク群ＫＳｐが検出されたことによるＴＲ及びＦＣ移動量信号が供給されるまで、当該トラッキング駆動信号ＳＴＤ１及びフォーカス駆動信号ＳＦＤ１の供給を継続する。
【０１２１】
この結果光ピックアップ２０は、フォーカス方向及びトラッキング方向に対して光ビームＬＢがサーボ情報マーク群ＫＳｐに合焦するよう対物レンズ２１の位置（以下、これをレンズ位置と呼ぶ）を変位させると共に、次のサーボ情報マーク群ＫＳｐが検出されるまでの間、当該レンズ位置を固定することになる。
【０１２２】
すなわち光ピックアップ２０は、サーボ情報マーク群ＫＳｐに応じた反射光ビームＬＢＲを生成に基づいてレンズ位置を変位させることにより光ビームＬＢを目標トラックＴＲＧに合焦させる。そして光ピックアップ２０は、レンズ位置を固定した状態で記録領域Ａｗに光ビームＬＢを照射することにより、目標トラックＴＲＧに記録マークＲＭを形成し得るようになされている。
【０１２３】
具体的にシステムコントローラ１１は、サーボ情報マーク群ＫＳｐに応じたＴＲ及びＦＣ移動量信号を駆動制御部１２に供給すると、信号処理部１３に対する記録情報の供給を開始する。
【０１２４】
図１７に示すように、信号処理部１３は、記録情報から記録信号ＷＲｋを生成し、これをレーザ制御部１８に供給する。実際上、信号処理部１３は、記録すべき情報に対し符号化及び変調等の処理を行うことにより符号「０」及び「１」の組み合わせでなる２値の記録データを生成する。
【０１２５】
さらに信号処理部１３は、例えば当該記録データの符号「１」に対応して記録マークＲＭを形成する一方、符号「０」に対応して当該記録マークＲＭを形成しないよう記録信号ＷＲｋを生成し、これをレーザ制御部１８に供給する。例えば信号処理部１３は、符号「１」と符号「０」とに応じてそれぞれ所定の信号レベルになるように記録信号ＷＲｋを生成する。
【０１２６】
レーザ制御部１８は、記録信号ＷＲｋが供給されると、図示しないバッファメモリに当該記録信号ＷＲｋを一時記憶すると共に、当該記録信号ＷＲｋを順次読み出し、当該記録信号ＷＲｋの信号レベルに応じてレーザダイオード３１に供給するレーザ駆動電流ＷＲｌを生成し、これをレーザダイオード３１に供給する。
【０１２７】
この結果レーザダイオード３１は、時点ｔ１から時点ｔ２までのように、レーザ駆動電流ＷＲｌに応じた光強度でなる光ビームＬＢを出射し、記録層１０１の記録領域Ａｗに記録マークＲＭを形成する。
【０１２８】
なお信号処理部１３は、記録データの１つの符号に２クロックが対応する記録クロック（図中に破線で示す）を基準に記録信号ＷＲｋを生成する。信号処理部１３は、符号「１」に対応して記録信号ＷＲｋを立ち上げその信号レベル大きくした後に、次のクロックにおいて記録信号ＷＲｋを立ち下げその信号レベル小さくする。
【０１２９】
これにより信号処理部１３は、符号「１」に対応してレーザダイオード３１にマーク形成用照射強度でなる光ビームＬＢを照射させ記録領域Ａｗに記録マークＲＭを形成させた後は記録信号ＷＲｋの信号レベルに応じて光ビームＬＢの照射を１クロック分停止又は小さくすることができる。この結果信号処理部１３は、記録マークＲＭ間に当該記録マークＲＭが形成されないスペースを形成させるようになされている。
【０１３０】
ＰＬＬ回路１７は、再生信号ＳＲＦの振幅パターンからサーボ情報マーク群ＫＳｐを検出すると共に、次のサーボ情報マーク群ＫＳｐが出現するタイミング（以下、これをサーボ情報出現タイミングＴＭ１と呼ぶ）を予測する。そしてＰＬＬ回路１７は、当該サーボ情報出現タイミングＴＭ１になるとタイミング予測信号Ｓｚを生成し、これをレーザ制御部１８に供給する。
【０１３１】
時点ｔ２においてレーザ制御部１８は、タイミング予測信号Ｓｚが供給されると、バッファメモリからの記録信号ＷＲｋの読出を中断し、サーボ情報出現タイミングＴＭ１であることを表す読出エンベロープ信号ＥｐをＨｉｇｈレベルに立ち上げる。同時にレーザ制御部１８は、記録マークＲＭを形成するとき（すなわち符号「１」に対応するレーザ駆動電流ＷＲｌの値）よりも小さい値（例えば約１／１０）になるようレーザ駆動電流ＷＲｌを生成する。
【０１３２】
この結果レーザダイオード３１は、マーク形成用光強度よりも小さいマーク読出用光強度で光ビームＬＢを出射しサーボ情報マーク群ＫＳｐに照射すると共に、当該サーボ情報マーク群ＫＳｐによって反射されてなる反射光ビームＬＢＲに基づいて対物レンズ２１のトラッキング制御及びフォーカス制御を実行し得るようになされている。
【０１３３】
またレーザ制御部１８は、読出エンベロープ信号ＥｐがＨｉｇｈレベルに立ち上がってからの時間をカウントし、時点ｔ３において所定のサーボ情報読出時間ＴＫｓが経過すると、読出エンベロープ信号ＥｐをＬｏｗレベルに立ち下げる。同時にレーザ制御部１８は、記録クロックにおける１クロック分だけレーザ駆動電流ＷＲｌを記録マークＲＭが形成されないときと同等の値に調整する。
【０１３４】
これによりレーザ制御部１８は、サーボ情報マーク群ＫＳｐの後にスペースを形成し得、記録マークＲＭがサーボ情報マーク群ＫＳｐに繋がって形成されることを防止し得るようになされている。
【０１３５】
時点ｔ３から１クロックだけ経過した時点ｔ４において、レーザ制御部１８は、バッファメモリから記録信号ＷＲｋの読出を再開し、記録信号ＷＲｋに応じたレーザ駆動電流ＷＲｌの生成を再開するようになされている。
【０１３６】
このように光ディスク装置１０では、サーボ情報マーク群ＫＳｐによって光ビームＬＢが目標トラックＴＲＧに合焦するよう対物レンズ２１のレンズ位置を決定し、次のサーボ情報マーク群ＫＳｐまでの記録領域Ａｗに光ビームＬＢが照射される間に亘って当該レンズ位置を固定する。ここで上述したように、サーボ情報マーク群ＫＳｐは光ディスク１００におけるトラックＴＲ１周に対して約１４００カ所設けられており、比較的短い間隔で設けられている。
【０１３７】
このため光ディスク装置１０は、光ディスク１００の面ぶれや振動などに応じて光ビームＬＢが目標トラックＴＲＧから外れてしまう前に、次のサーボ情報マーク群ＫＳｐによって光ビームＬＢを目標トラックＴＲＧに合焦させ、当該目標トラックＴＲＧに記録マークＲＭを形成し得るようになされている。
【０１３８】
また光ディスク装置１０は、サーボ情報マーク群ＫＳｐが出現するサーボ情報出現タイミングＴＭ１を予測し、サーボ情報マーク群ＫＳｐに対してマーク形成用光強度よりも小さい強度でなるマーク読出用光強度で光ビームＬＢを照射するようにした。
【０１３９】
これにより光ディスク装置１０は、サーボ情報マーク群ＫＳｐによって対物レンズ２１のトラッキング制御及びフォーカス制御を実行しながら、サーボ情報領域Ａｓに対して記録マークＲＭを上書きすることなく、記録領域Ａｗに記録マークＲＭを形成し得るようになされている。
【０１４０】
（５）情報の再生
情報再生処理時において、光ディスク１００の記録層１０１には、既に記録マークＲＭが形成されている。従って光ディスク装置１０は、当該記録マークＲＭによって反射されてなる反射光ビームＬＢＲに基づいてトラッキングエラー信号ＳＴＥ及びフォーカスエラー信号ＳＦＥを生成する。そして光ディスク装置１０は、当該トラッキングエラー信号ＳＴＥ及びフォーカスエラー信号ＳＦＥがゼロになるように対物レンズ２１を変位させることにより、トラッキング制御及びフォーカス制御を実行するようになされている。
【０１４１】
ところで記録層１０１には、記録マークＲＭだけでなく、サーボ情報マーク群ＫＳｐが記録されている。そこで光ディスク装置１０は、情報再生処理の際、当該サーボ情報マーク群ＫＳｐに対応する情報を削除して再生情報を生成するようになされている。
【０１４２】
具体的に光ディスク装置１０のシステムコントローラ１１（図１２）は、情報再生処理を開始すると、レーザ制御部１２によって所定の値でなるレーザ駆動電流ＷＲｌを生成し、レーザダイオード１３に供給させる。
【０１４３】
この結果レーザダイオード１３は、マーク読出用光強度で光ビームＬＢを出射し、記録層１０１に照射する。
【０１４４】
このとき信号処理部１３は、記録層１０１から検出される反射光ビームＬＢＲに基づいて再生信号ＳＲＦを生成する。ここで図１８に示すように、この再生信号ＳＲＦには、記録マークＲＭだけでなく、サーボ情報マーク群ＫＳｐによる情報も含まれることになる。
【０１４５】
信号処理部１３は、検出信号Ｕ１を基に、記録マークＲＭが形成されているか否かを検出し、例えば記録マークＲＭが形成されていれば符号「１」に、当該記録マークＲＭが形成されていなければ符号「０」に割り当てることにより、再生ＲＦ信号に基づいて再生データを生成する。信号処理部１３は、当該再生データに所定の復調処理及び復号化処理等の再生情報生成処理を施して記録情報に対応する再生情報を生成することにより、記録されている情報を再生することができる。
【０１４６】
ＰＬＬ回路１７は、再生信号ＳＲＦの振幅パターンからサーボ情報マーク群ＫＳｐを検出すると共に、次のサーボ情報マーク群ＫＳｐに対応する情報が出現するサーボ情報出現タイミングＴＭ２を予測する。そしてＰＬＬ回路１７は、当該サーボ情報出現タイミングＴＭ２になるとタイミング予測信号Ｓｚを生成し、これを信号処理部１３に供給する。
【０１４７】
例えば時点ｔ１１において既に再生情報を生成している信号処理部１３は、時点ｔ１２においてタイミング予測信号Ｓｚが供給されると、削除エンベロープ信号ＣｐをＬｏｗレベルからＨｉｇｈレベルに立ち上げる。同時に信号処理部１３は、サーボ情報読出時間ＴＫｓに亘って再生情報生成処理を中断する。
【０１４８】
そしてサーボ情報読出時間ＴＫｓが経過した時点ｔ１３において信号処理部１３は、削除エンベロープ信号ＣｐをＨｉｇｈレベルからＬｏｗレベルに立ち下げると共に、再生信号ＳＲＦに対する再生情報生成処理を再開する。
【０１４９】
これにより光ディスク装置１０は、サーボ情報マーク群ＫＳｐによる情報の含まれていない再生データを生成し、当該再生データに基づいて位サーボ情報マーク群ＫＳｐによる情報の含まれていない再生情報を生成することができる。
【０１５０】
このように光ディスク装置１０は、記録マークＲＭに基づいて対物レンズ２１のトラッキング制御及びフォーカス制御を実行すると共に、再生信号ＳＲＦに基づいてサーボ情報マーク群ＫＳｐに対応する部分を削除してなる再生情報を生成するようにした。
【０１５１】
これにより光ディスク装置１０は、サーボ情報マーク群ＫＳｐが予め記録されている光ディスク１００に記録マークＲＭとして記録された情報を適切に再生し得るようになされている。
【０１５２】
（６）情報記録処理手順
次に、情報記録プログラムに従って実行される情報記録処理手順ＲＴ１について、図１９を用いて説明する。
【０１５３】
光ディスク装置１０は、情報記録処理を開始する旨の記録開始命令が供給されると、情報記録処理手順ＲＴ１を開始し、ステップＳＰ１へ移る。
【０１５４】
ステップＳＰ１において、光ディスク装置１０は、光ディスク１００に対し、マーク読出用光強度で光ビームＬＢを照射し、サーボ情報マーク群ＫＳｐを検出すると、次のステップＳＰ２へ移る。
【０１５５】
ステップＳＰ２において、光ディスク装置１０は、記録情報に基づいてレーザ駆動電流ＷＲｌを生成し光ビームＬＢを変調することにより、記録情報に基づいて記録領域Ａｗに情報を記録すると、次のステップＳＰ３へ移る。
【０１５６】
ステップＳＰ３において、光ディスク装置１０は、サーボ情報出現タイミングＴＭ１であるか否かについて判別する。
【０１５７】
ここで否定結果が得られた場合、このことは次の目標マーク位置が記録領域Ａｗであることを表しており、このとき光ディスク装置１０は、ステップＳＰ２へ戻り、情報の記録を継続する。
【０１５８】
これに対してステップＳＰ３において肯定結果が得られた場合、このことは次の目標マーク位置がサーボ情報マーク群ＫＳｐの形成されたサーボ情報領域Ａｓであることを表しており、このとき光ディスク装置１０は、次のステップＳＰ４へ移る。
【０１５９】
ステップＳＰ４において、光ディスク装置１０は、マーク読出用光強度で光ビームＬＢを照射すると、次のステップＳＰ５へ移る。
【０１６０】
ステップＳＰ５において、光ディスク装置１０は、サーボ情報読出時間ＴＫｓが経過したか否かについて判別する。
【０１６１】
ここで否定結果が得られた場合、このことは次の目標マーク位置がサーボ情報領域Ａｓであることを表しており、このとき光ディスク装置１０は、ステップＳＰ４へ戻り、マーク読出用光強度による光ビームＬＢの照射を継続する。
【０１６２】
これに対してステップＳＰ５において肯定結果が得られた場合、このことは次の目標マーク位置が記録領域Ａｗであることを表しており、このとき光ディスク装置１０は、次のステップＳＰ６へ移る。
【０１６３】
ステップＳＰ６において、光ディスク装置１０は、サーボ情報マーク群ＫＳｐによって反射されてなる反射光ビームＬＢＲに基づいて光ビームＬＢが目標トラックＴＧＲに合焦するよう対物レンズ２１のレンズ位置を変位させると、次のステップＳＰ６へ移る。
【０１６４】
ステップＳＰ７において、光ディスク装置１０は、レンズ位置をステップＳＰ６において変位させた位置に固定し、ステップＳＰ２へ戻って情報の記録を継続する。
【０１６５】
なお光ディスク装置１０は、外部機器から記録停止命令が供給されると、ステップに拘わらず情報記録処理手順ＲＴ１を終了するようになされている。
【０１６６】
（７）再生情報生成処理手順
次に、情報再生プログラムに従って実行される再生情報生成処理手順ＲＴ２について、図２０を用いて説明する。
【０１６７】
光ディスク装置１０は、情報再生処理を開始する旨の再生開始要求が供給されると、再生情報生成処理手順ＲＴ２を開始し、ステップＳＰ１１へ移る。
【０１６８】
ステップＳＰ１１において、光ディスク装置１０は、光ディスク１００の記録層１０１に対して光ビームＬＢを照射し、反射光ビームＬＢＲに基づいて再生信号ＳＲＦを生成すると、次のステップＳＰ１２へ移る。
【０１６９】
ステップＳＰ１２において、光ディスク装置１０は、再生信号ＳＲＦに基づいて再生情報を生成すると、次のステップＳＰ１３へ移る。
【０１７０】
ステップＳＰ１３において、光ディスク装置１０は、サーボ情報出現タイミングＴＭ２であるか否かについて判別する。
【０１７１】
ここで否定結果が得られた場合、このことは以降に生成される再生信号ＳＲＦが記録マークＲＭに基づく情報であることを表しており、このとき光ディスク装置１０は、ステップＳＰ１２へ戻り、再生情報の生成を継続する。
【０１７２】
これに対してステップＳＰ１３において肯定結果が得られた場合、このことは以降に生成される再生信号ＳＲＦがサーボ情報マーク群ＫＳｐに基づく情報であることを表しており、このとき光ディスク装置１０は、次のステップＳＰ１４へ移る。
【０１７３】
ステップＳＰ１４において、光ディスク装置１０は、再生信号ＳＲＦに基づく再生情報の生成を中断すると、次のステップＳＰ１５へ移る。
【０１７４】
ステップＳＰ１５において、光ディスク装置１０は、サーボ情報読出時間ＴＫｓが経過したか否かについて判別する。
【０１７５】
ここで否定結果が得られた場合、このことは以降に生成される再生信号ＳＲＦがサーボ情報マーク群ＫＳｐに基づく情報であることを表しており、このとき光ディスク装置１０は、ステップＳＰ１４に戻り、再生情報を生成しない状態を継続する。
【０１７６】
これに対してステップＳＰ１５において肯定結果が得られた場合、このことは以降に生成される再生信号ＳＲＦが記録マークＲＭに基づく情報であることを表しており、このとき光ディスク装置１０は、ステップＳＰ１２に戻り、再生信号ＳＲＦから再生情報を生成する。
【０１７７】
なお光ディスク装置１０は、外部機器から再生停止命令が供給されると、ステップに拘わらず再生情報生成処理手順ＲＴ２を終了するようになされている。
【０１７８】
（８）動作及び効果
以上の構成において、光ディスク１００の記録層１０１は、集光された光である光ビームＬＢが照射される螺旋状のトラックＴＲに沿って、サーボ情報領域Ａｓ及び記録領域Ａｗが交互に形成されている。
【０１７９】
すなわち記録層１０１は、トラックＴＲ内に間欠的にサーボ情報領域Ａｓが設けられており、サーボ情報領域Ａｓ間には記録領域Ａｗが形成されている。
【０１８０】
サーボ情報領域Ａｓは、光ビームＬＢが照射されるべき照射位置である照射ラインＴＬ近傍に立体的なサーボ情報マークとしてのサーボ情報マーク群ＫＳｐが予め形成されている。また記録領域Ａｗは、所定以上の光強度でなる光ビームＬＢが照射されることに応じて当該光ビームＬＢの焦点ＦＢ近傍に立体的な記録マークＲＭを形成し、光ビームＬＢが照射されることに応じた戻り光である反射光ビームＬＢＲを基に当該情報を再生させる。
【０１８１】
これにより記録層１０１は、サーボ情報領域Ａｓ及び記録領域Ａｗにおける照射位置を照射ラインＴＬとして線状に繋げることができる。このため記録層１０１は、回転されながらサーボ情報マーク群ＫＳｐを用いて光ビームＬＢを目標トラックＴＲＧにおける照射ラインＴＬに合焦させることにより後は光ビームＬＢの位置を変化させなくても自然に記録領域Ａｗにおける照射ラインＴＬ近傍に光ビームＬＢを照射させることができる。
【０１８２】
このサーボ情報領域Ａｓは、記録層１０１の内部に形成されているため、例えば光ディスク１００の歪みや面ぶれなどが生じた場合には、当該歪みや面ぶれに応じてサーボ情報領域Ａｓの位置も変化することになる。
【０１８３】
換言するとサーボ情報領域Ａｓは、記録マークＲＭが形成されるべきトラックＴＲ内に当該記録マークＲＭが形成される記録領域Ａｗに連接して設けられており、記録領域Ａｗに対して基準となるサーボ情報領域Ａｓが非常に近接している。このため一の基準面を基準に離隔した目標マーク位置を決定する従来の光ディスクと比較して、光ビームＬＢを照射させる際の位置精度を著しく向上させることができる。
【０１８４】
また、サーボ情報マーク群ＫＳｐの存在によってトラックＴＲの位置が決定されるため、例えば光ディスク１００の装填具合などに応じた光ディスク１００の傾きなどにより、トラックＴＲの位置を誤認識させることがない。このため光ディスク１００は、例えば光ディスク１００が再装填された場合であっても、光ビームＬＢを目標トラックＴＲＧに確実に合焦させることが可能となる。
【０１８５】
また記録層１０１は、サーボ情報マーク群ＫＳｐとして、光ディスク１００の半径方向であるトラッキング方向の光ビームＬＢの位置を調整させるトラッキング用マークＫＴと、光ディスク１００の厚さ方向であるフォーカス方向に対する光ビームＬＢの位置を調整させるフォーカス用マークＫＦとを有している。
【０１８６】
これにより記録層１０１は、光ビームＬＢをトラッキング方向及びフォーカス方向の両方に調整することができるため、目標マーク記録層ＹＧにおける目標トラックＴＲＧ（すなわち目標マーク位置）に光ビームＬＢを照射させることができる。
【０１８７】
また記録層１０１は、フォーカス方向に複数層のマーク記録層Ｙが形成されており、サーボ情報領域Ａｓ及び記録領域Ａｗは、マーク記録層ＹごとのトラックＴＲにそれぞれ設けられている。
【０１８８】
これにより記録層１０１は、複数層のマーク記録層Ｙに対して情報を記録することができ、光ディスク１００としての記憶容量を増大させることができる。
【０１８９】
さらに記録層１０１における記録領域Ａｗは、気泡でなる記録マークＲＭを形成することにより、光ビームＬＢを光ディスク１００の片側から照射させるだけで記録マークＲＭを形成することができ、光ビームＬＢを照射する光ディスク装置１０の構成を簡易にすることができる。
【０１９０】
また記録層１０１は、トラッキング方向に対する光ビームＬＢの位置を調整させる３つのトラッキング用マークＫＴを有している。この３つのトラッキング用マークＫＴは、中央に位置するトラッキング用マークＫＴｂを中心に、先頭及び後尾のトラッキング用マークＫＴａ及びＫＴｃがトラッキング方向に互いに逆方向にずれた状態で配置されている。
【０１９１】
これにより記録層１０１は、トラッキング用マークＫＴａ及びＫＴｃに対応する反射光ビームＬＢＲの光量が等しくなるように光ビームＬＢの位置を調整させることにより、光ビームＬＢを照射ラインＴＬに誘導することができる。
【０１９２】
さらに光ディスク装置１０は、光ディスク１００を回転させ、光ビームＬＢを集光し記録層１０１に対して照射する際、サーボ情報領域Ａｓからの反射光ビームＬＢＲを基に光ビームＬＢＲを照射位置に合焦させるよう対物レンズ２１のレンズ位置を変位させる。そして光ディスク装置１０は、当該レンズ位置を当該変位された位置に固定した状態で記録領域Ａｗに光ビームＬＢを照射する。
【０１９３】
これにより光ディスク装置１０は、記録領域Ａｗに光ビームＬＢを照射する際、サーボ情報領域Ａｓと同一位置に当該光ビームＬＢを照射することができる。ここでサーボ情報領域Ａｓと記録領域Ａｗとは連接しており、照射ラインＴＬも線状に繋がっている。
【０１９４】
従って光ディスク１００の回転に伴ってサーボ情報領域Ａｓの照射ラインＴＬに合焦するように調整された光ビームＬＢの焦点ＦＢは記録領域Ａｗにおける照射ラインＴＬ近傍に合焦することになる。この結果光ディスク装置１０は、目標トラックＴＲＧにおける記録領域Ａｗに光ビームＬＢを照射して記録マークＲＭを形成することができる。
【０１９５】
また光ディスク装置１０は、記録領域Ａｗに対して記録マークＲＭを形成するのに必要な所定の光強度以上であるマーク形成用光強度で光ビームＬＢを照射する一方、サーボ情報領域Ａｓに対して所定の強度未満であるマーク読出用光強度で光ビームＬＢを照射するよう光源としてのレーザダイオード３１を制御する。
【０１９６】
これにより光ディスク装置１０は、サーボ情報領域Ａｓに記録マークＲＭを上書きすることを防止することができ、サーボ情報マーク群ＫＳｐを当該サーボ情報マーク群ＫＳｐとして残すことができる。また光ディスク装置１０は、サーボ情報マーク群ＫＳｐに重複して記録マークＲＭが形成されることにより情報が正しく読み出せなくなることを防止することができ、情報を記録層１０１に適切に記録することができる。
【０１９７】
さらに光ディスク装置１０は、ＰＬＬ回路１７により光ビームＬＢがサーボ情報領域Ａｓに照射されるサーボ情報出現タイミングＴＭ１を予測し、当該サーボ情報出現タイミングＴＭ１に合わせて光ビームＬＢをマーク読出用光強度で照射する。
【０１９８】
これにより光ディスク装置１０は、例えば記録層１０１の最内周部分におけるＴＯＣ（Table Of Contents）領域などにサーボ情報領域Ａｓに関する位置情報を記録されていない場合であっても情報を記録層１０１に適切に記録することができる。
【０１９９】
また光ディスク装置１０は、サーボ情報マーク群ＫＳｐからの反射光ビームＬＢＲに基づいてサーボ情報領域Ａｓを検出すると共に、当該検出されたサーボ情報領域Ａｓに基づいて光ビームＬＢが次のサーボ情報領域Ａｓに照射されるサーボ情報出現タイミングＴＭ１を予測する。
【０２００】
これにより光ディスク装置１０は、一般的に広く用いられているＰＬＬ回路１７によってサーボ情報出現タイミングＴＭ１を予測することができ、光ディスク装置１０としての構成を簡易にすることができる。
【０２０１】
さらに光ディスク装置１０は、１０１記録層からの反射光ビームＬＢＲを基に生成された再生信号ＳＲＦに基づいてサーボ情報マーク群ＫＳｐに対応する情報を削除してなる再生情報を生成する。
【０２０２】
これにより光ディスク装置１０は、再生信号ＳＲＦに基づいて記録マークＲＭのみに基づく情報でなる再生情報を生成することができる。
【０２０３】
また光ディスク装置１０は、再生信号ＳＲＦにおいてサーボ情報マーク群ＫＳｐに対応する情報が出現するサーボ情報出現タイミングＴＭ２を予測し、サーボ情報出現タイミングＴＭ２からの再生信号ＳＲＦに対する再生情報生成処理を停止する。
【０２０４】
これにより光ディスク装置１０は、情報記録処理に用いられるＰＬＬ回路１７をいわば共用してサーボ情報出現タイミングＴＭ２を予測することができ、光ディスク装置１０としての構成を簡易にすることができる。
【０２０５】
以上の構成によれば、光ディスク装置１０は、一様でなる記録層１０１に予めトラックの指標となるサーボ情報マーク群ＫＳｐを形成しておくことにより、記録マークＲＭが形成される記録領域Ａｗと近接して形成されたサーボ情報マーク群ＫＳｐを基準として光ビームＬＢが照射されるべき目標マーク位置を設定させることができる。かくして光ディスクの一様な記録層内に形成する記録マークの位置精度を高め得る光ディスク、光情報記録装置及び光情報記録方法、並びに光情報再生装置及び光情報再生方法を実現することができる。
【０２０６】
（９）他の実施の形態
なお上述した実施の形態においては、サーボ情報領域Ａｓにはトラッキング用マークＴＫとフォーカス用マークＫＦとが形成されているようにした場合について述べたが、本発明はこれに限らず、記録層１０１におけるサーボ情報領域Ａｓの位置を表す位置情報としてアドレス情報マークが形成されているようにしても良い。
【０２０７】
例えば図２１に示すように、トラッキング用マークＫＴ及びフォーカス用マークＫＦの後にアドレス情報マークＫＡが形成されても良く、またアドレス情報マークをトラッキング用マークＴＫ又はフォーカス用マークＫＦ、若しくは両者として設けるようにしても良い。また図示しないが、トラッキング用マークＴＫ若しくはフォーカス用マークＫＦのいずれか一方のみを設けるようにしても良い。
【０２０８】
また上述した実施の形態においては、サーボ情報領域Ａｓに隣接するトラックＴＲにおける互いに隣接した位置に設けられることにより、光ディスク１００の中心からサーボ情報マーク群ＫＳｐが連なったサーボ情報ラインＫＬが放射状に形成されているようにした場合について述べたが、本発明はこれに限られるものではない。例えば図２２に示すように、サーボ情報領域Ａｓは、各トラックＴＲにおいて所定間隔ＨＫで設けられることにより、トラックＴＲに不連続に設けられているようにしても良い。
【０２０９】
これにより光ディスク装置１０は、例えばサーボ情報領域Ａｓの出現間隔に基づいて光ディスク１００の回転を制御すると共に、当該出現間隔に応じて生成された記録クロックをカウントすることにより、正確にサーボ情報出現タイミングＴＭ１を予測することができる。
【０２１０】
また例えば光ディスク１００は、記録層１０１における所定の領域として例えば最内周のＴＯＣ領域に予めサーボ情報領域Ａｓに関する位置情報が記録されているようにしても良い。この場合光ディスク装置１０は、当該位置情報に基づいて光ビームＬＢが次のサーボ情報領域Ａｓに照射されるサーボ情報出現タイミングＴＭ１を予測することが可能となる。
【０２１１】
さらに上述した実施の形態においては、光ディスク装置１０がサーボ情報出現タイミングを予測するようにした場合について述べたが、本発明はこれに限られるものではない。例えば光ディスク１００は、サーボ情報マークとして、フォーカス用マークＴＦのように通常の記録マークＲＭとして使用されないパターンでなるサーボ情報マークが記録されているようにする。このとき光ディスク装置１００は、再生信号ＳＲＦにおける波形パターンに基づいて当該サーボ情報マークを検出し、検出後に光ビームＬＢの光強度をマーク読出用光強度に低下させるようにしても良い。
【０２１２】
例えばフォーカス用マークＴＦは、８ビット長でなりスペースが設けられていないため、かかる形状のサーボ情報マークを検出するまでの間、マーク形成用光強度で光ビームＬＢが照射された場合であっても、上書きされる危険性がない。また同様の理由から、マーク形成用光強度で光ビームＬＢを照射しながらフォーカス制御及びトラッキング制御を実行することも可能である。
【０２１３】
さらに上述した実施の形態においては、螺旋状のトラックＴＲに沿ってサーボ情報領域Ａｓ及び記録領域Ａｗが交互に形成されるようにした場合について述べたが、本発明はこれに限らず、同心円状のトラックに沿ってサーボ情報領域Ａｓ及び記録領域Ａｗが交互に形成されるようにしても良い。
【０２１４】
この場合、例えば所定間隔でサーボ情報領域Ａｓが設けられ、サーボ情報領域Ａｓにアドレス情報が記録されることにより、ハードディスクと同様の動作によって情報記録処理及び情報再生処理を実行することが可能となる。
【０２１５】
さらに上述した実施の形態においては、再生信号ＳＲＦにおいてサーボ情報マーク群ＫＳｐに対応する情報が出現するサーボ情報出現タイミングＴＭ２を予測するようにした場合について述べたが、本発明はこれに限られるものではない。例えば再生信号ＳＲＦからその波形パターンによりサーボ情報マーク群ＫＳｐに対応する情報を検出し、事後的に削除するようにしても良い。
【０２１６】
また必ずしも再生信号ＳＲＦから再生データを生成する過程において実行される必要はなく、例えば再生データにおける符号パターンからサーボ情報マーク群ＫＳｐを検出し、再生データから削除するようにしても良い。要は、最終的に生成される再生情報においてサーボ情報領域Ａｓに対応する情報が削除されていれば良い。
【０２１７】
さらに上述した実施の形態においては、サーボ情報出現タイミングＴＭ１から所定のサーボ情報読出時間だけ経過した時点でサーボ情報マーク群ＫＳｐに光ビームＬＢが照射し終えると判別するようにした場合について述べたが、本発明はこれに限られるものではない。例えば再生信号ＳＲＦの振幅からサーボ情報マーク群ＫＳｐに光ビームＬＢが照射し終えるタイミングを検出するようにしても良い。
【０２１８】
さらに上述した実施の形態においては、立体的な記録マークとして記録領域Ａｗに気泡でなる記録マークＲＭが形成されるようにした場合について述べたが、本発明はこれに限られるものではない。例えば予めホログラムが記録された記録領域Ａｗに対し、ホログラムが破壊されることにより立体的な記録マークを形成することができる。
【０２１９】
また一の光源から出射された光ビームを２つに分離し、互いに反対方向から照射することにより、立体的な記録マークとしてホログラムを形成することができる。なおこのホログラムを記録マークとして記録する光ディスク装置の構成は、特許文献１に記載されている。この場合、サーボ情報マーク群ＫＳｐによるトラッキング制御及びフォーカス制御を実行する間は、当該サーボ情報マーク群ＫＳｐによる再生信号ＳＲＦを得るため、シャッタなどにより光ディスク１００に対して記録光ビームを照射しないようにする必要がある。
【０２２０】
さらに上述した実施の形態においては、フォーカス方向に複数のマーク記録層Ｙが形成されるようにした場合について述べたが、本発明はこれに限らず、１層のみのマーク記録層Ｙが形成されるようにしても良い。
【０２２１】
さらに上述した実施の形態においては、３つのトラッキング用マークＴＫのうち先頭及び後尾のトラッキング用マークＴＫａ及びＴＫｃが互いに逆方向にずれているようにした場合について述べたが、本発明はこれに限られるものではない。
【０２２２】
例えば図２２に示したように、３つのトラッキング用マークＴＫがトラック中心線ＣＴＲ上に形成されているようにしても良い。この場合光ディスク装置１０は、トラッキングエラー信号ＳＴＥがゼロになるように対物レンズ２１を変位させるようにする。
【０２２３】
さらに上述した実施の形態においては、フォーカス用マークＴＦがマーク記録層Ｙの中心線上に形成されるようにした場合について述べたが、本発明はこれに限られるものではない。例えばトラッキング用マークＴＫのように３つのフォーカス用マークＴＦを設け、先頭及び後尾のフォーカス用マークＴＦをマーク記録層Ｙの中心線からフォーカス方向に互いに逆方向にずらして設けるようにしても良い。この場合光ディスク装置１０は、先頭と後尾のフォーカス用マークＫＦに対応するフォーカスエラー信号ＳＦＥの振幅が同一になるように対物レンズ２１を変位させるようにする。
【０２２４】
さらに上述した実施の形態においては、再生信号ＳＲＦの振幅が同一になるようにＴＲ移動信号を生成するようにした場合について述べたが、本発明はこれに限られるものではない。例えばサーボ情報領域Ａｓに対して光ビームＬＢを照射するときには情報再生処理時のトラッキング制御と同様にしてトラッキングループ（すなわちトラッキングエラー信号ＳＴＥがゼロになるように）によるフィードバック制御を行うようにする。また記録領域Ａｗに対して光ビームＬＢを照射するときにはトラッキングループをＯＦＦに設定すると共に、対物レンズ２１のレンズ位置を固定することにより、上述した実施の形態と同様の効果を得ることができる。フォーカス制御についても同様である。
【０２２５】
さらに上述した実施の形態においては、リレーレンズ３８により、フォーカス方向に関する対物レンズ２１から光ビームＬＢの焦点ＦＢまでの距離を制御するようにした場合について述べたが、本発明はこれに限らず、例えば対物レンズ２１をフォーカス方向に移動させたり、他の種々の光学部品により制御するようにしても良い。
【０２２６】
さらに上述した実施の形態においては、レーザダイオード３１から出射される光ビームＬＢの波長を約４０５［ｎｍ］とするようにした場合について述べたが、本発明はこれに限らず、他の任意の波長であっても良い。この場合、当該波長でなる光ビームＬＢにより記録層１０１内に記録マークＲＭを形成でき、且つ当該光ビームが当該記録マークＲＭにより反射された反射光ビームＬＢＲを検出し得れば良い。
【０２２７】
さらに上述した実施の形態においては、情報再生処理の際、プッシュプル法によるトラッキング制御を行うようにした場合について述べたが、本発明はこれに限らず、例えばＤＰＤ（Differential Phase Detection）法やＤＰＰ（Differential Push Pull）法によるトラッキング制御を行うようにし、あるいは他の種々の手法によりトラッキング制御を行うようにしても良い。
【０２２８】
さらに上述した実施の形態においては、非点収差法によりフォーカスエラー信号ＳＦＥを生成するようにした場合について述べたが、本発明はこれに限らず、例えばスポットサイズ法などその他種々の手法によりフォーカスエラー信号ＳＦＥを生成するようにしても良い。
【０２２９】
さらに上述した実施の形態においては、記録層１０１にサーボ情報領域Ａｓを点在させるようにした場合について述べたが、本発明はこれに限らず、例えば光ディスク１００の最内周側又は最外周側などに光ビームＬＢを引き込むため、所定の長さ（例えばトラック１０周分）のサーボ情報マークが形成されたリードインエリアを設けるようにしても良い。
【０２３０】
さらに上述した実施の形態においては、光ディスク１００に基板１０２及び１０３を設けるようにした場合について述べたが、本発明はこれに限らず、例えば記録層１０１の強度が十分である場合などに、当該基板１０２及び１０３の一方又は両方を省略しても良い。
【０２３１】
さらに上述した実施の形態においては、記録層としての記録層１０１によって光ディスクとしての光ディスク１００を構成する場合について述べたが、本発明はこれに限らず、その他種々の構成でなる記録層によって本発明の光ディスクを構成するようにしても良い。
【０２３２】
さらに上述した実施の形態においては、回転部としてのスピンドルモータ１５と、対物レンズとしての対物レンズ２１と、駆動部としてのアクチュエータ２２、システムコントローラ１１及び駆動制御部１２とによって光情報記録装置としての光ディスク装置１０を構成する場合について述べたが、本発明はこれに限らず、その他種々の構成でなる回転部と、対物レンズと、駆動部とによって本発明の光情報記録装置を構成するようにしても良い。
【０２３３】
さらに上述した実施の形態においては、回転部としてのスピンドルモータ１５と、対物レンズとしての対物レンズ２１と、光照射部としての光ピックアップ２０と、再生情報生成部としての信号処理部１３を構成する場合について述べたが、本発明はこれに限らず、その他種々の構成でなる回転部と、対物レンズと、光照射部と、再生情報生成部とによって本発明の光情報再生装置を構成するようにしても良い。
【産業上の利用可能性】
【０２３４】
本発明は、映像や音声、或いはコンピュータ用のデータ等の情報を光ディスクに記録し、また当該光ディスクから当該情報を再生する光ディスク装置でも利用できる。
【図面の簡単な説明】
【０２３５】
【図１】従来の光ディスクにおける記録層の構成を示す略線的断面図である。
【図２】トラックによる仮想的な円筒の形成を示す略線図である。
【図３】記録位置のずれ（１）の説明に供する略線図である。
【図４】記録位置のずれ（２）の説明に供する略線図である。
【図５】光ディスクの外観構成を示す略線的斜視図である。
【図６】光ディスクの構成を示す略線的断面図である。
【図７】記録マークの形成の説明に供する略線図である。
【図８】サーボ情報マーク群の構成と配置を示す略線図である。
【図９】トラッキング用マークの配置を示す略線図である。
【図１０】トラッキング用マークとスポットの位置関係を示す略線図である。
【図１１】情報の記録の説明に供する略線的断面図である。
【図１２】光ディスク装置の構成を示す略線図である。
【図１３】光ピックアップの構成を示す略線図である。
【図１４】ピンホールによる光ビームの選別の説明に供する略線図である。
【図１５】フォトディテクタにおける検出領域の構成を示す略線図である。
【図１６】サーボ情報マーク群によるトラッキング制御及びフォーカス制御の説明に供する略線図である。
【図１７】記録マークの生成の説明に供する略線図である。
【図１８】再生情報の生成の説明に供する略線図である。
【図１９】情報記録処理手順の説明に供するフローチャートである。
【図２０】再生情報生成処理手順の説明に供するフローチャートである。
【図２１】他の実施の形態によるサーボ情報領域（１）の説明に供する略線図である。
【図２２】他の実施の形態によるサーボ情報領域（２）の説明に供する略線図である。
【符号の説明】
【０２３６】
１０、……光ディスク装置、１１……制御部、１２……駆動制御部、１３……信号処理部、２０……光ピックアップ、２１……対物レンズ、２２……２軸アクチュエータ、２０、３１……レーザダイオード、３５……偏光ビームスプリッタ、１００……光ディスク、１０１……記録層、１０２、１０３……基板、Ａｓ……サーボ情報領域、Ａｗ……記録領域、ＬＢ……光ビーム、ＬＢＲ……反射光ビーム、ＦＢ……焦点、ＲＭ……記録マーク、Ｙ……マーク記録層ＹＧ……目標マーク層、ＴＲ……トラック、ＴＧ……目標トラック、ＫＳｐ……サーボ情報マーク群、ＫＴ、ＫＴａ。ＫＴｂ、ＫＴｃ……トラッキング用マーク、ＫＦ……フォーカス用マーク。
【図１】
2009259320.tif 000006
【図２】
2009259320.tif 000007
【図３】
2009259320.tif 000008
【図４】
2009259320.tif 000009
【図５】
2009259320.tif 000010
【図６】
2009259320.tif 000011
【図７】
2009259320.tif 000012
【図８】
2009259320.tif 000013
【図９】
2009259320.tif 000014
【図１０】
2009259320.tif 000015
【図１１】
2009259320.tif 000016
【図１２】
2009259320.tif 000017
【図１３】
2009259320.tif 000018
【図１４】
2009259320.tif 000019
【図１５】
2009259320.tif 000020
【図１６】
2009259320.tif 000021
【図１７】
2009259320.tif 000022
【図１８】
2009259320.tif 000023
【図１９】
2009259320.tif 000024
【図２０】
2009259320.tif 000025
【図２１】
2009259320.tif 000026
【図２２】
2009259320.tif 000027